(57)【特許請求の範囲】
【請求項１】
柄の一方の端部に片側に向かい突出して椀状に湾曲された湾曲部が設けられたお玉であって、
前記柄の他方の端部において、前記湾曲部が設けられた片側とは反対側に突出して設けられた第１の突起部と、
前記柄の中間部において、前記湾曲部が設けられた片側とは反対側に突出して設けられた２つの第２の突起部とを備え、
これらは、前記第１の突起部と前記各第２の突起部とをそれぞれ結ぶ２本の直線と、前記各第２の突起部を結ぶ１本の直線により三角形が形成される位置に配置され、
前記柄の内部には、前記柄の伸長方向に沿って空洞が設けられており、この空洞には、空洞内を移動可能な重りが配設された
ことを特徴とするお玉。
【請求項２】
前記湾曲部の凸面側には、前記柄の側に、前記柄と交差する方向に伸長された少なくとも１つの凸条又は凹条が設けられたことを特徴とする請求項１記載のお玉。
【請求項３】
前記柄の一方の端部には、湾曲部に向かい幅が広くなるように両側に拡張部が設けられたことを特徴とする請求項１又は請求項２のいずれかに記載のお玉。
【発明の詳細な説明】
【技術分野】
【０００１】
本発明は、自立させることができるお玉に関する。
【背景技術】
【０００２】
鍋料理、焼き魚や油料理の調理中に、お玉を手から離して置きたいことがある。その場合、レンジ又は調理台の上や、小皿の上に置くのが一般的である。しかし、レンジや調理台が汚れている場合には直に置くことができない。また、小皿の上に置く場合は、不安定の上、慌てていて皿から床に落としてしまうこともあり、拾っている間に焼きすぎたり、鍋物が吹き上がったりして、火傷したり、調理を失敗してしまうことがあった。そのため、お玉を自立させて置くことができれば、衛生的であり、かつ、手間がかからず、手軽で便利である。
【０００３】
なお、特許文献１には、外観が蝶ネクタイ状の幅が約４ｃｍのばねを設け、調理中に、調理箸から金属製のお玉等の調理用小物全般及び包丁までを一時的に置けるようにした仮置き器が記載されている。また、特許文献２には、お玉を立てる形状を有する鍋蓋つまみと、受け皿とを組み合わせた鍋蓋が記載されている。
【先行技術文献】
【特許文献】
【０００４】
【特許文献１】特開２００９−２４０７４４号公報
【特許文献２】特開２００８−１６１６５６号公報
【発明の概要】
【発明が解決しようとする課題】
【０００５】
しかしながら、特許文献１に記載された仮置き器も、特許文献２に記載された鍋蓋も、お玉を自立させるものではなく、他の補助物が必要である。そのため、補助物を洗う手間がかかるという問題があった。また、補助物を使用するので、自立させる場合に比べて、使いやすさ及び置きやすさに劣るという問題があった。
【０００６】
本発明は、このような問題に基づきなされたものであり、自立させることができるお玉を提供することを目的とする。
【課題を解決するための手段】
【０００７】
本発明のお玉は、柄の一方の端部に片側に向かい突出して椀状に湾曲された湾曲部が設けられたものであって、柄の他方の端部において、湾曲部が設けられた片側とは反対側に突出して設けられた第１の突起部と、柄の中間部において、湾曲部が設けられた片側とは反対側に突出して設けられた２つの第２の突起部とを備え、これらは、第１の突起部と各第２の突起部とをそれぞれ結ぶ２本の直線と、各第２の突起部を結ぶ１本の直線により三角形が形成される位置に配置されたものである。
【発明の効果】
【０００８】
本発明のお玉によれば、三角形を形成するように配置された第１の突起部と、２つの第２の突起部とを備えるようにしたので、この３点によりお玉を支え、自立させることができる。よって、お玉を置くための補助物が必要なく、補助物を用意したり、洗ったりする手間が不要となり、簡単に置くことができる。また、調理台等にお玉の湾曲部及び柄の部分を接触させずに自立して置くことができるので、衛生的である。
【０００９】
また、柄の伸長方向に沿って空洞を設け、この空洞内に移動可能な重りを配設するようにすれば、お玉を第１の突起部及び第２の突起部により自立させて置くときには、重りを柄の他方の端部側に移動させることにより、重心を他方の端部側に移動させ、安定して自立させることができる。また、お玉をお鍋などの中に入れておくときには、重りが一方の端部側に移動し、重心が一方の端部側に移動し、安定してお鍋の中に入れておくことができる。
【００１０】
更に、湾曲部の凸面側における柄の側に、柄と交差する方向に伸長した少なくとも１つの凸条又は凹条を設けるようにすれば、お玉を第１の突起部及び第２の突起部により自立させて置くときに、湾曲部の凸面側に付いて残っている汁等を凸条又は凹状に留まらせることができ、液だれを防止することができる。
【００１１】
加えて、柄の一方の端部に、湾曲部に向かい幅が広くなるように両側に拡張部を設けるようにすれば、お玉を第１の突起部及び第２の突起部により自立させて置くときに、湾曲部の凹面側に残っている汁などを拡張部に溜めることができ、液だれを防止することができる。
【図面の簡単な説明】
【００１２】
【図１】本発明の一実施の形態に係るお玉の構成を表す図である。
【図２】図１に示したお玉の第２の突起部の構成を表す図である。
【図３】図１に示したお玉の湾曲部及び柄の構成を湾曲部の凹面側から見た図である。
【図４】図１に示したお玉の湾曲部及び柄の構成を湾曲部の凸面側から見た図である。
【図５】図１に示したお玉の柄の内部構成を表す図である。
【発明を実施するための形態】
【００１３】
以下、本発明の実施の形態について、図面を参照して詳細に説明する。
【００１４】
図１は、本発明の一実施の形態に係るお玉１０の構成を表すものである。このお玉１０は、例えば、一方向に伸長された柄１１と、柄１１の一方の端部に、片側に向かい突出して椀状に湾曲して設けられた湾曲部１２とを備えている。柄１１の他方の端部には、湾曲部１２が設けられた片側とは反対側に突出して第１の突起部１３が設けられ、柄１１の中間部には、湾曲部１２が設けられた片側とは反対側に突出して２つの第２の突起部１４が設けられている。
【００１５】
図２は、第２の突起部１４の構成を表す図である。第１の突起部１３及び各第２の突起部１４は、第１の突起部１３と各第２の突起部１４とをそれぞれ結ぶ２本の直線と、各第２の突起部１４を結ぶ１本の直線とにより三角形が形成される位置に配置されている。これにより、お玉１０は、第１の突起部１３及び各第２の突起部１４を支持点として、自立することができるようになっている。
【００１６】
図３は、湾曲部１２及び柄１１の構成を湾曲部１２の凹面側から見たものである。柄１１の一方の端部には、湾曲部１２に向かい幅が広くなるように両側に拡張部１５が設けられている。拡張部１５は、お玉１０を第１の突起部１３及び各第２の突起部１４により自立させて置くときに、湾曲部１２の凹面側に残っている汁などを溜めて、液だれを防止するためのものである。拡張部１５は、湾曲部１２の凹面側から見て窪んでいることが好ましい。
【００１７】
図４は、湾曲部１２及び柄１１の構成を湾曲部１２の凸面側から見たものである。湾曲部１２の凸面側における柄１１の側には、柄１１と交差する方向に伸長された少なくとも１つの凸条又は凹条１６が設けられている。この凸条又は凹条１６は、お玉１０を第１の突起部１３及び各第２の突起部１４により自立させて置くときに、湾曲部１２の凸面側に付いて残っている汁等を留まらせて、液だれを防止するためのものである。湾曲部１２の凸面側は、凹面側に比べて残留する汁の量が少ないので、このような構造により液だれを防止することが可能である。
【００１８】
図５は、柄１１の内部構成を表すものである。柄１１の内部には、柄１１の伸長方向に沿って空洞１７が設けられており、この空洞１７には、空洞内を移動可能な重り１８が配設されている。お玉１０は、湾曲部１２の重さが重く、第１の突起部１３及び各第２の突起部１４により自立させて置くときに不安定となりやすい。よって、安定して自立させるには重心を第１の突起部１３が設けられている他方の端部側にする必要がある。しかし、その一方で、重心を他方の端部側とすると、お玉１０をお鍋などの中に入れておくときに、お玉１０が柄１１の重みに耐え切れずにお鍋から落ちてしまう恐れがある。そこで、柄１１の内部に重り１８を移動可能に配設し、重心を移動可能としたものである。
【００１９】
これにより、お玉１０を第１の突起部１３及び各第２の突起部１４により自立させて置くときには、重り１８を柄１１の他方の端部側に移動させて、重心を他方の端部側に移動させることにより、安定して自立させることができるようになっている。また、お玉１０をお鍋などの中に入れておくときには、重り１８が一方の端部側に移動し、重心が一方の端部側に移動して、安定してお鍋の中に入れておくことができるようになっている。重り１８は、例えば、金属球により構成することが好ましい。
【００２０】
このように本実施の形態によれば、三角形を形成するように配置された第１の突起部１３と、２つの第２の突起部１４とを備えるようにしたので、この３点によりお玉を支え、自立させることができる。よって、お玉を置くための補助物が必要なく、補助物を用意したり、洗ったりする手間が不要となり、簡単に置くことができる。また、調理台等にお玉の湾曲部１２及び柄１１の部分を接触させずに自立して置くことができるので、衛生的である。
【００２１】
また、柄１１の伸長方向に沿って空洞１７を設け、この空洞内に移動可能な重り１８を配設するようにすれば、お玉１０を第１の突起部１３及び第２の突起部１４により自立させて置くときには、重り１８を柄１１の他方の端部側に移動させることにより、重心を他方の端部側に移動させ、安定して自立させることができる。また、お玉１０をお鍋などの中に入れておくときには、重り１８が一方の端部側に移動し、重心が一方の端部側に移動し、安定してお鍋の中に入れておくことができる。
【００２２】
更に、湾曲部１２の凸面側における柄１１の側に、柄１１と交差する方向に伸長した少なくとも１つの凸条又は凹条１６を設けるようにすれば、お玉１０を第１の突起部１３及び第２の突起部１４により自立させて置くときに、湾曲部１２の凸面側に付いて残っている汁等を凸条又は凹状１６に留まらせることができ、液だれを防止することができる。
【００２３】
加えて、柄１１の一方の端部に、湾曲部１２に向かい幅が広くなるように両側に拡張部１５を設けるようにすれば、お玉１０を第１の突起部１３及び第２の突起部１４により自立させて置くときに、湾曲部１２の凹面側に残っている汁などを拡張部１５に溜めることができ、液だれを防止することができる。
【産業上の利用可能性】
【００２４】
お玉として用いることができる。
【符号の説明】
【００２５】
１０…お玉、１１…柄、１２…湾曲部、１３…第１の突起部、１４…第２の突起部、１５…拡張部、１６…凸条又は凹条、１７…空洞、１８…重り
【要約】
【課題】自立させることができるお玉を提供する。
【解決手段】お玉１０は、例えば、一方向に伸長された柄１１と、柄１１の一方の端部に、片側に向かい突出して椀状に湾曲して設けられた湾曲部１２とを備えている。柄１１の他方の端部には、湾曲部１２が設けられた片側とは反対側に突出して第１の突起部１３が設けられ、柄１１の中間部には、湾曲部１２が設けられた片側とは反対側に突出して２つの第２の突起部１４が設けられている。第１の突起部１３及び各第２の突起部１４は、第１の突起部１３と各第２の突起部１４とをそれぞれ結ぶ２本の直線と、各第２の突起部１４を結ぶ１本の直線とにより三角形が形成される位置に配置されている。
【選択図】図１【図１】
0005605886.tif 000002
【図２】
0005605886.tif 000003
【図３】
0005605886.tif 000004
【図４】
0005605886.tif 000005
【図５】
0005605886.tif 000006